(57)【要約】【課題】ピストン容積を増加させず、加えて、ナットの幾何学形状が変更される場合にも、ネジおよびピストンの変更を要しないナットを提供する。【解決手段】ナットの縦端部は、ナットの縦軸線でのナットの回転を阻止するための手段を形成する少なくとも一つの阻止面と、前記軸線の方向の力を伝達するための手段を形成する少なくとも一つの伝達面と、を有する。阻止面または阻止面の少なくとも一つと伝達面または伝達面の少なくとも一つとは少なくとも一つの共通エッジを有し、阻止面または阻止面の少なくとも一つは凹状である。  【選択図】  図１
2021519403.tif 000002
【特許請求の範囲】
【請求項１】
ナット（１）の一つの縦端部（１ａ）が、
ナット（１）の縦軸線（１０）でのナット（１）の回転を阻止するための手段を形成する少なくとも一つの阻止面（１ａ１）と、
前記軸線（１０）の方向の力を伝達するための手段を形成する少なくとも一つの伝達面（１ａ２）と、
を有し、
前記阻止面または前記阻止面（１ａ１）の少なくとも一つと前記伝達面または前記伝達面（１ａ２）の少なくとも一つとが、少なくとも一つの共通エッジ（１２）を有し、
前記阻止面または前記阻止面（１ａ１）の少なくとも一つが凹状であり、
前記阻止面または前記阻止面（１ａ１）の少なくとも一つと前記伝達面または前記伝達面（１ａ２）の少なくとも一つとを横断する少なくとも一つの凹溝（６）をナットが包含する、
ことを特徴とするナット（１）。
【請求項２】
ナット（１）の一つの縦端部（１ａ）が、
ナット（１）の縦軸線（１０）でのナット（１）の回転を阻止するための手段を形成する少なくとも一つの阻止面（１ａ１）と、
前記軸線（１０）の方向の力を伝達するための手段を形成する少なくとも一つの伝達面（１ａ２）と、
を有し、
前記阻止面または前記阻止面（１ａ１）の少なくとも一つと前記伝達面または前記伝達面（１ａ２）の少なくとも一つとが、少なくとも一つの共通エッジ（１２）を有し、
前記阻止面または前記阻止面（１ａ１）の少なくとも一つが凹状であり、
前記阻止面または前記阻止面（１ａ１）の少なくとも一つと前記伝達面または前記伝達面（１ａ２）の少なくとも一つとを横断する少なくとも一つの凹溝（６）をナットが包含し、
前記伝達面または前記伝達面（１ａ２）の少なくとも一つが球形部を包含する、
ことを特徴とするナット（１）。
【請求項３】
前記凹溝（６）がその長さに沿って湾曲している、請求項１に記載のナット。
【請求項４】
前記凹溝（６）がナット（１）の縦孔（８）に開口する、請求項１または３に記載のナット。
【請求項５】
前記凹溝（６）が前記軸線（１０）に垂直な支承表面（１４）を形成する、請求項１，３，４のいずれか一つに記載のナット。
【請求項６】
前記支承表面（１４）の輪郭（２４）が少なくとも一つの湾曲エッジを有する、先行請求項に記載のナット。
【請求項７】
好ましくは互いに同一である幾つかの凹溝（６）を包含する、請求項１および３から６のいずれか一つに記載のナット。
【請求項８】
前記軸線１０に垂直な平面において十字形パターンで配置される４本の凹溝（６）が設けられる、先行請求項に記載のナット。
【請求項９】
ナット（１）の別の縦端部（１ｂ）が、前記縦軸線（１０）でのナット（１）の回転を阻止するための少なくとも一つの他の手段を形成する少なくとも一つの他の阻止面（１ｂ１）を有する、先行請求項の一つに記載のナット。
【請求項１０】
請求項１から９のいずれか一つに記載のナット（１）を包含するブレーキキャリパ（１６）。
【請求項１１】
ピストン（２）と、
ネジ（３）と、
を包含して、
前記ネジ（３）が前記ナット（１）を横断し、前記ナット（１）が前記ピストン（２）に挿入される、
先行請求項に記載のブレーキキャリパ（１６）。
【請求項１２】
請求項１０または１１に記載のブレーキキャリパ（１６）を包含する制動装置（４）。
【発明の詳細な説明】
【技術分野】
【０００１】
本発明は、ナット、例えば制動システムに装着されることを意図したブレーキキャリパナットに関する。
【背景技術】
【０００２】
ナットは、部品の組立または運動の変換を意図したネジ／ナットシステムの基本的コンポーネントである。これは、ネジ‐ナットシステムを形成することにより回転運動を直線運動に変換するのに使用されうる。例えば、車輪ブレーキキャリパのナットは、ネジの回転運動を、ブレーキパッドを押圧するピストンに伝達される直線運動に変換する。それゆえナットは、たいていピストンの内側に収容され、これに接続されなければならない。
【０００３】
ナットの縦軸線上の回転を阻止するための手段をカラーの形ですでに備えるナットは、すでに提案されている。しかしながら、このようなカラーはピストン容積を増加させる。加えて、ナット幾何学形状が変更される場合には、たいていネジおよびピストンも変更される必要がある。
【発明の概要】
【発明が解決しようとする課題】
【０００４】
本発明は、ナットの縦端部が
ナットの縦軸線でのナットの回転を阻止するための手段を形成する少なくとも一つの阻止面と、
軸線の方向の力を伝達するための手段を形成する少なくとも一つの伝達面と、
を有し、
阻止面または阻止面の少なくとも一つと伝達面または伝達面の少なくとも一つとが少なくとも一つの共通エッジを有し、
阻止面または阻止面の少なくとも一つが凹状である、
ナットを提供することにより、これらの短所を克服することを目的とする。
【課題を解決するための手段】
【０００５】
それゆえ阻止手段と伝達手段との間のスペースが削除される。それゆえナットは細くなり、これはスペースおよび材料を節約する。
【０００６】
伝達面または伝達面の少なくとも一つが球形部を包含すると、有利である。
【０００７】
このような形状は、直線運動伝達力の良好な分散を可能にする。
【０００８】
少なくとも一つの凹溝が、阻止面または阻止面の少なくとも一つと伝達面または伝達面の少なくとも一つとを横断する。
【０００９】
このような凹溝は、ピストンとナットとの間でブレーキ流体が流れることを可能にする。
【００１０】
好ましくは、凹溝はその長さに沿って湾曲している。
【００１１】
凹溝がナットの縦孔に開口すると、有利である。
【００１２】
凹溝は、軸線に垂直な支承表面も形成しうる。
【００１３】
このような支承表面はナットの機械加工を容易にする。
【００１４】
支承表面が少なくとも一つの湾曲エッジを有すると、有利である。
【００１５】
ナットは、好ましくは互いに同一である幾つかの凹溝を包含しうる。
【００１６】
縦軸線に垂直な平面において十字形パターンで配置される４本の凹溝が設けられると、有利である。
【００１７】
ナットの別の縦端部は、縦軸線でのナットの回転を阻止するための少なくとも一つの他の手段を形成する少なくとも一つの他の阻止面を有しうる。
【００１８】
それゆえ回転を阻止する力は、ナットの本体に沿ってピストンで分散されうる。
【００１９】
ナットは、２０から５０ｍｍの長さ、好ましくは３０から４０ｍｍの長さ、より好ましくは３３から３７ｍｍの長さ、さらにより好ましくは３５．５から３６．１ｍｍの長さでありうる。
【００２０】
同様に、ナットは、１５から３５ｍｍ、好ましくは２０から３０ｍｍ、より好ましくは２２から２８ｍｍ、さらにより好ましくは２５から２７ｍｍの外径を有しうる。
【００２１】
ナットの外側正方形の１辺は、１２から３２ｍｍの長さ、好ましくは２０から２５ｍｍの長さ、より好ましくは２２から２４ｍｍの長さ、さらにより好ましくは２２．９から２３．２ｍｍの長さを有しうる。
【００２２】
ナットは、９から２３ｍｍ、好ましくは１２から１８ｍｍ、より好ましくは１５から１７ｍｍ、さらにより好ましくは１６から１６．５ｍｍの内径を有しうる。
【００２３】
本発明によるナットを包含するブレーキキャリパも提供される。
【００２４】
ブレーキキャリパがピストンとネジとを包含すると、有利である。
【００２５】
本発明によるブレーキキャリパを包含する制動装置も提供される。
【図面の簡単な説明】
【００２６】
添付図を参照して非限定的な例として挙げられる発明の一実施形態をこれから説明する。
【図１】本発明によるナットの斜視図である。
【図２】ナットの正面図である。
【図３】ナットの別の斜視図である。
【図４】本発明によるナットとネジとピストンとの断面図である。
【図５】本発明によるピストンの横断図である。
【図６ａ】本発明によるブレーキキャリパの横断図である。
【図６ｂ】本発明によるナットとネジとピストンとを包含するブレーキキャリパの略図である。
【図６ｃ】ブレーキキャリパを包含する本発明による制動装置の略図である。
【図７】ピストンの断面図である。
【図８】図７のVIII‐VIII平面におけるピストンの横断図である。
【図９】ナットの正面図である。
【発明を実施するための形態】
【００２７】
図１および３に示されているように、ナット１は、二つの部分、つまり長さの大部分の本体Ｃと端部ヘッドＴとを包含する。本体は、縦軸線１０の直線円筒体の形状を有する外面を有する。図２に示されているように、ナットは、各端部１ａ，１ｂで開口する内部管８を備える。それゆえ中空である。管も、縦軸線１０の直線円筒体の形状を有する。
【００２８】
端部ヘッドＴは、幾つかの横面１ａ１と幾つかの先端面１ａ２とを包含する。
【００２９】
横面１ａ１は、軸線１０を中心として八角形を形成する。これらは平坦、凹状、または凸状でありうる。このケースでは、平坦面と凹状面との間での交互配置に従って面１ａ１の半分は平坦であって他の半分は凹状である。
【００３０】
先端面１ａ２は、縦軸線１０に等しい高さの切頭八角形基部の球面を備えるピラミッドを形成する。言い換えると、先端面は、球形キャップの一部であるので部分的に球形である。球形キャップは実際には、球体と平面との交差により形成される球面である。このケースで、先端面１ａ２を形成する球形キャップは、軸線１０に属する中心を持つ球体とエッジ１２を含む平面との交差により形成される。
【００３１】
先端面１ａ２は、第１グループ１ａ２１と第２グループ１ａ２２の二つのグループに分割される。先端面１ａ２の集合体は部分的に球形であるが、しかしながら先端面１ａ２は凹状または凸状であってもよい。このケースで、第１グループの面１ａ２１は凹状であって第２グループの面１ａ２２は凸状である。図１から３に示されている実施形態では、凸面と凹面との間の交互配置に従って先端面の半分は凸状で他の半分は凹状である。ゆえに、浮き出ている面１ａ２１と異なり、面１ａ２２は中空である。
【００３２】
図１に示されているように、横面と先端面とは共通エッジ１２を有する。言い換えると、先端面１ａ２と横面１ａ１とは隣接するか連続している。加えて、平坦な横面は凸状の先端面と共通のエッジを有し、一方で凹状の横面は凹状の先端面と共通のエッジを有する。
【００３３】
端部ヘッドＴは幾つかの凹溝６を備える。凹溝６は、管８の端部を形成する孔に開口し、軸線１０に垂直な支承表面１４を各々が形成する。凹溝６は、縦方向に第１縦曲率半径に沿っている。曲線の曲率半径は、曲率円とも呼ばれる、円に接触する曲線の半径である。これは、曲率半径が曲線のできる限り近くを通る円の半径であることを意味する。このケースで、凹溝６の縦曲率半径は球形キャップの曲率半径と同じ中心を有する。加えて、この半径は軸線１０に含まれる。言い換えると、球形キャップの曲率円と凹溝の縦曲率円とは相似しており、軸線１０に属する中心を有する相似形に従って一方は他方の像である。さらに、凹溝６は縦方向に第２横曲率半径にも沿っている。
【００３４】
凹溝６の数は任意である。このケースで、ナットの端部ヘッドＴは４本の凹溝を包含し、図２に示されているようにすべてが互いに同一であって十字形パターンで配置される。同様に、縦曲率半径と横曲率半径とは状況に応じて選択される。例えば、凹溝６の各々が同一の縦曲率半径と異なる横曲率半径とを有するか、その逆でもよい。凹溝６の縦曲率についてであっても横曲率についてであっても、曲率半径は一つの凹溝と別の凹溝ですべて同一でありうる。さらに、凹溝６の横または縦曲率半径も長さに沿って変化しうる。
【００３５】
このケースで、凹溝６は凸面１ａ２２に配設される。言い換えると、面１ａ２２は凹溝６を包含するが、しかしながら凹溝が凹面１ａ２１に配置されてもよい。凹溝が他のパターンに従って配置されてもよい。例えば、正多角形の頂点に従って配置されうる。最後に、軸線１０に関して最小の径方向半径を有する凹溝６の点により規定される曲線は、本実施形態によれば直線である。この曲線は凹溝の経路を規定する。その幾何学形状は概ね任意である。
【００３６】
ナット１の他端部１ｂは、ナットの本体Ｃに切欠き１８を包含する。切欠きは、軸線１０に対して径方向の平面に延在する主要面１ｂを有する。
【００３７】
ナットは、管８の内部面２０にネジ山を包含する。
【００３８】
図４に示されているように、ナットは管８にネジ３を収容することを意図したものである。加えて、ナット１はピストン２に挿入されることを意図したものである。ピストン２は縦内部管２２を備え、一端部では縦内部面２２ａおよび先端内部面２２ｂは共通エッジ２６を有する。ピストン管２２は円形断面を持つ円筒形である。図５に示されているように、図４および５で右に配設されるピストンの閉止端部２８で孔は円錐台形状を有する。図５および６に示されているように、孔２２の入口を形成するピストンのエッジは、他端部３０に内部面取り３２を備える。ネジ３は、ナット１の内ネジ山と協働するのに適応した外ネジ山を包含する。ネジは円錐台のネジヘッドを包含し、そのヘッド生成円錐体の上部での角度はピストンのエッジの内部面取りの傾斜角度に等しい。
【００３９】
図４に示されているように、ネジ３とナット１とピストン２とは、横面１ａ１および先端面１ａ２の共通エッジ１２がピストンの面２２ａ，２２ｂの共通エッジ２６と対向するように配置される。ゆえに、ナット１の先端面１ａ２は、ナット１とピストン２との間で球形／円錐形の支持体となる。
【００４０】
加えて、面取りとネジヘッドの円錐台との傾斜角度が等しいので、ピストンのエッジの内部面取り３２はネジヘッド２と対向する。
【００４１】
本発明によれば、図６ａに示されているブレーキキャリパ１６は、図４と同じ構成でネジ３とナット１とピストン２とを受容する。
【００４２】
本発明によれば、図６ｃに示されている制動装置４はブレーキキャリパ１６を包含する。
【００４３】
このようなナットの動作をこれから説明する。
【００４４】
図４に示されているようにナット１がピストン２に挿入されると、横面１ａ１の共通エッジ３４が軸線１０を中心としたピストン２に対するナット１の回転を防止する。横面は、軸線１０を中心とするナット１の回転を阻止する手段を形成する。それゆえ横面１ａ１は阻止面である。この阻止面はピストン２とナット１とを一緒に接続する。
【００４５】
ゆえに、ネジ３の外部ネジ山とナット１の内部ネジ山との形状相補性のため、キャリパに対するネジ３の回転がナット１を動かす。ナット１はピストン２に接続されているので、先端面１ａ２によりその並進がピストン２の並進を引き起こす。それゆえ先端面１ａ２は、軸線１０上で直線力を伝達する手段を形成する。この力伝達は、軸線１０上での直線運動の伝達を可能にする。軸線１０上でのナット１の直線運動は、軸線１０上でのピストンの直線運動を引き起こす。
【００４６】
凹溝６は通路を形成する。それゆえ、ピストンの内側でのブレーキ流体の流れを助ける。
【００４７】
ナット１により提供される利点をこれから説明する。
【００４８】
伝達面１ａ２と阻止面１ａ１とが共通エッジ１２を有するので、ナットは小型になる。例えば、ナットの正方形の外径は２９．６５ｍｍではなく２６．０５ｍｍである。図９に示されているナットの外側正方形３６の長さは、２６．６５ｍｍ（０．１５ｍｍの変形）ではなく２３．０５ｍｍ（０．１５ｍｍの変形）である。外側正方形は、図９に示されているように、軸線１０に直交する平面において平坦面１ａ１に正接する直線の交差により形成される正方形として定義される。
【００４９】
それゆえこのようなナットは小型寸法のピストンに適応している。例えば、ナット１の回転を阻止するための手段、このケースでは横面１ａ１とピストン２との間の支承エリアの直径は、２８ｍｍではなく２６ｍｍである。この省スペースより、ピストン正方形の内径は３２．１ｍｍ（可能であれば０．２ｍｍの変形）ではなく２８．５ｍｍ（同じ変形）である。同様に、ナット／ピストン支承円錐体の直径は１９．８ｍｍではなく１６．２ｍｍである。最後に、先端面１ａ２により形成されるナット球体の直径は、１９．８ｍｍではなく１６．２ｍｍである。
【００５０】
このようなナットは、小型のネジおよびピストンに、その幾何学形状を変更する必要なく使用されうる。
【００５１】
ナットは機械加工が容易である。カラーがないので、製造工程の数が削減される。加えて、凹溝により形成される支承エリア１４は、機械加工つめとさらに容易に協働するのでナットの機械加工を容易にする。最後に、打抜き方法を使用する製造を可能にする。
【００５２】
本発明は、記載の実施形態に限定されず、当業者には他の実施形態が明白に自明であろう。
【符号の説明】
【００５３】
１  ナット
１ａ  ナットの端部（縦端部）
１ａ１  ナットの端部ヘッドの横面（阻止面）
１ａ２  ナットの端部ヘッドの先端面（伝達面）
１ａ２１  凹状先端面
１ａ２２  凸状先端面
１ｂ  ナットの他端部（別の縦端部）
１ｂ１  ナットの他端部の切欠き面（他の阻止面）
２  ピストン
３  ネジ
４  制動装置
６  凹溝
８  ナットの縦孔
１０  ナットの縦軸線
１２  ナットの横面および先端面の共通エッジ
１４  支承エリア（支承平面）
１６  ブレーキキャリパ
１８  切欠き
２０  ナットの内部孔の面
２２  ピストンの縦孔
２２ａ  ピストンの縦孔の縦面
２２ｂ  ピストンの縦孔の先端面
２４  支承エリアの輪郭
２６  ピストンの縦面および先端面の共通エッジ
２８  ピストンの閉止端部
３０  ピストンの開口端部
３２  ピストンのエッジの内部面取り
３４  ナットの端部ヘッドの横面の共通エッジ
３６  ナットの外側正方形
Ｃ  ナットの本体
Ｔ  ナットの端部ヘッド
【図１】
2021519403.tif 000003
【図２】
2021519403.tif 000004
【図３】
2021519403.tif 000005
【図４】
2021519403.tif 000006
【図５】
2021519403.tif 000007
【図６ａ】
2021519403.tif 000008
【図６ｂ】
2021519403.tif 000009
【図６ｃ】
2021519403.tif 000010
【図７】
2021519403.tif 000011
【図８】
2021519403.tif 000012
【図９】
2021519403.tif 000013
【国際調査報告】
2021519403.tif 000014
2021519403.tif 000015
2021519403.tif 000016
2021519403.tif 000017